(57)【要約】      （修正有）【課題】使用者の動作に追随することは勿論、立姿、中腰、座勢など何れにおいても邪魔になる恐れがないベルト工具吊具の提供。【解決手段】ステンレス製のベルト掛止板の下部に、連結片の上部を重ねて、回動自在に軸支すると共に、連結片の下部に、ステンレス製の工具吊枠の上部を前後回動自在に取り付け、ベルト掛止板と連結片を１８０度回転できるようにした。【選択図】図１
0003108306.tif 000002
【実用新案登録請求の範囲】
【請求項１】
ステンレス製のベルト掛止板の下部に、連結片の上部を重ねて、回動自在に軸支すると共に、前記連結片の下部に、ステンレス製の工具吊枠の上部を前後回動自在に取り付け、前記ベルト掛止板と連結片を１８０度回転できるようにしたことを特徴とするベルト用工具吊具。
【請求項２】
ベルト掛止板と連結片及び連結片と、工具吊枠の取り付け当接部は摩擦面としたことを特徴とする請求項１記載のベルト用工具吊具。
【請求項３】
ベルト掛止板に２個のベルト挿通孔を並列縦設し、前記ベルト挿通孔に挟まれた押え片を、ベルトの厚さ程度ベルト装着側へ突出形成したことを特徴とする請求項１記載のベルト用工具吊具。
【請求項４】
ベルト掛止板に２個のベルト挿通孔を並列縦設し、該ベルト挿通孔の上側枠片又は下側枠片に、ベルトの通過できる隙間を設けたことを特徴とする請求項１記載のベルト用工具吊具。
【考案の詳細な説明】
【技術分野】
【０００１】
この考案は、ハンマー・墨つぼその他の工具を、ベルトへ掛着する場合の吊具を目的としたベルト用工具吊具に関する。
【背景技術】
【０００２】
従来、ハンマー・墨つぼその他の工事現場で必要な工具を身につける場合には、主として腰のベルトに取り付けた工具吊具を使用している。
【０００３】
前記工具吊具の代表的構造は、ベルト掛止板と、工具吊具を固着した構造が知られ、広く使用されている。
【特許文献１】特開平９−２６７２７５
【特許文献２】実解昭６４−１２７８７
【考案の開示】
【考案が解決しようとする課題】
【０００４】
前記工具吊具は、金属製のベルト掛止板へ、金属製の工具吊具の一側が固定されており、堅固かつ安定性はよいけれども、前記吊具を着用したまま低い姿勢をとったり、座った場合に、工具がつかえると、身体が不安定になる問題点があった。
【０００５】
前記引用文献１のフック部２は左右回動の自由度があるが、前後方向の自由度はない問題点がある。また引用文献２の考案は、工具吊具を、前後、左右に回動することはできるが、これを逆転使用できない（体格に合った使用方法ができない）のみならず、工具吊具の前後、左右の回転の制御について考慮されていない問題点があった。
【課題を解決するための手段】
【０００６】
前記問題点を解消すべく研究の結果、ベルト掛止板に、工具吊具を前後、左右回動自在に取り付けることにより成功したのである。
【０００７】
前記におけるベルト掛止板及び工具吊具は、金属又は合成樹脂があるが、ステンレス板が最良であるが、これにこだわるものではない。例えば、金属の場合には、ステンレス板、鋼板のクロームメッキ板であり、合成樹脂を使用する場合には、ポリカーボネート、ナイロンなど強靭な材質が考えられる。
【０００８】
またこの考案のベルト掛止板にベルトを挿通するには、ベルトの端部をベルト挿通孔に２回挿通しなければならないので、ベルト挿通孔にベルトの通過できる隙間を設けたものである。但し、隙間を設ける場合には、ベルトとの掛止強度について考慮しなければならない。
【０００９】
即ちこの考案によれば、ステンレス製のベルト掛止板の下部に、連結片の上部を重ねて、回動自在に軸支すると共に、前記連結片の下部に、ステンレス製の工具吊枠の上部を前後回動自在に取り付け、前記ベルト掛止板と連結片を１８０度回転できるようにしたことを特徴とするベルト用工具吊具であり、ベルト掛止板と連結片及び連結片と、工具吊枠の取り付け当接部は摩擦面としたものである。また、ベルト掛止板に２個のベルト挿通孔を並列縦設し、前記ベルト挿通孔に挟まれた押え片を、ベルトの厚さ程度ベルト装着側へ突出形成したものであり、ベルト掛止板に２個のベルト挿通孔を並列縦設し、該ベルト挿通孔の上側枠片又は下側枠片に、ベルトの通過できる隙間を設けたものである。
【００１０】
前記考案において、ベルト掛止板と、工具吊具を取り付けるのに、連結片を用いたが、要はベルト掛止板と、工具吊具を前後、左右に回動自在に取り付けることを要件としているので、必ずしも連結片を用いる必要はないが、連結の容易性と、強度保有を満足させなければならない。
【００１１】
前記における工具吊具は、ステンレス線による枠体が簡単かつ強固であるが、他の構造（例えば板材の打抜き成形品）とすることを妨げない。
【００１２】
また枠体の大きさ形状は吊る工具に合致させることは当然であり、確実に保持できる形状を選定する。
【考案の効果】
【００１３】
この考案によれば、ベルト掛止板に、工具吊具を前後、左右回動自在に取り付けたので、使用者の動作に追随することは勿論、立姿、中腰、座姿などの何れにおいても邪魔になるおそれなく、かつ工具が外れるおそれがないなどの効果がある。
【００１４】
また使用者の身長の大小に応じて正姿又は逆転姿に変えることにより、１０ｃｍ程度の上下の使用高さに余裕を持たせることができる。
【００１５】
次に、ベルト挿通孔へ間隙を設けた場合には、ベルトをベルト挿通孔に挿通することになり、きわめて容易に挿通状態にできる効果もある。また、連結片の当接部に摩擦を持たせることによって、工具の前後左右の回動にブレーキが掛り、自由回動を制御できる効果がある。
【考案を実施するための最良の形態】
【００１６】
矩形のステンレスを縦長に用い、その長手方向に平行に２個のベルト挿通孔を穿設し、前記挿通孔の間のベルト押え片を、工具吊具の取り付け部の反対側へ突出形成して、ベルト掛止板を形成し、前記押え片は、ベルト装着時のベルトの密着性を向上すべく、当接面の凹凸を可及的に少なくしたものである。
【００１７】
前記ベルト掛止板の下部へ連結片の一端を左右回動自在に軸支すると共に、前記連結片の他端部へ、ステンレス製の工具吊具の上端部を前後方向自在に取り付けて、この考案のベルト用工具吊具を完成する。
【００１８】
前記連結片とベルト掛止板及び連結片と工具吊具の相互接触面は適度の摩擦を発生（例えば両方又は一方に微小凹凸部を設ける）させることにより、工具吊枠（吊具）が不必要に動揺するのを防止することができる。
【００１９】
前記摩擦力は、工具の自重によって常時垂直方向と平行して吊下されており、かつ必要に応じて軽く方向を変換（回動する）できる程度が好ましい。即ち、工具は常時吊下姿勢を保ち、使用者の姿勢変化には抵抗なく追随する程度の摩擦力をいう。
【実施例１】
【００２０】
この考案の実施例を図１、２、３について説明すれば、ステンレス製の矩形板１に、その長辺に平行する２個のベルト挿通孔２、２を穿設すると共に、該ベルト挿通孔２、２に挟まれたベルト押え片３を工具吊具の連結片７の取り付け部の反対側へ突出成形して、ベルト掛止板５を形成する。前記ベルト押え片３の突出量は、ベルト４を身体６に装着した場合に、ベルト押え片３の内壁３ａが、ベルト４の内壁４ａとほぼ面一になることを目途としており、突出量の多寡によりこの作用効果は不変である。
【００２１】
前記ベルト掛止板５の下部に、連結片７の半折した上部をピン８により左右回動自在に取り付けると共に（図１）、前記連結片７の下端部（折り曲げ部７ａ）内側へ、工具吊具１０の上杆１０ａを回動自在に挿通し、この考案のベルト用工具吊具１５を構成した（図面１）。
【００２２】
前記吊具１０は、ステンレス線を、工具の挿通部（ハンマー１３の場合は柄杆１３ａ）を挿通する中の矩形枠１２を形成し、該矩形枠１２の一側を弧状に湾曲して掛止部１０ｂを設けて吊具１０を形成したものである。
【００２３】
前記実施例において、ベルト４の位置を下げると（例えば腰掛ける）、ハンマー１３の下端が邪魔になる場合には、吊具１０を図１中矢示１４又は１６の方向へ回動して、障害物を避けるようにする。
【００２４】
また前記において、障害物が前後にある場合には、図２中矢示１７又は１８の方向へ回動して障害物を避けるようにする。
【００２５】
前記において、連結片７の折り曲げ部７ａの内壁を上杆１０ａの外壁へ突起７ｂが当接する構造にすれば、上杆１０ａの回動が若干制御され通常の歩行において過度にゆれるおそれはない。
【００２６】
次に図３は、吊具１０を墨つぼ９用に幅広くしたもので、その他の構造は総て図１の実施例と同一である。
【００２７】
また図６の実施例は、ベルト掛止板５の上部へ連結片７を回転自在に取り付けたものであるが、実用上は、図１の実施例を１８０度回転したにすぎない。従って、図１は比較的身長の高い使用者に有効であり、図６は比較的身長の低い使用者に有効である。前記はベルト吊具の使用方法に関するもので、使用者の身長に見合う使用法ができる。
【実施例２】
【００２８】
この考案の他の実施例を図７について説明すると、矩形板１に設けたベルト挿通孔２、２の上辺部に、ベルト押え片３の両側上辺へベルト４の通過できる幅の隙間１１、１１を夫々設けたものである。
【００２９】
前記隙間１１、１１は、図７（ｂ）のように、ベルト４を折り曲げてベルト掛止板５の隙間１１へ、ベルト４を上から矢示１９のように挿入しようとするものである。従って、ベルト掛止板５の基本構造は、図１〜３のベルト掛止板５と同一であるから、その他の説明を省略する。
【図面の簡単な説明】
【００３０】
【図１】この考案の実施例の拡大正面図。
【図２】（ａ）同じく拡大側面図、（ｂ）同じく連結片と、吊具の掛止状態を示す一部拡大断面図。
【図３】同じく他の実施例の拡大正面図。
【図４】同じく装着状態を示す説明図。
【図５】同じく一部を省略した一部拡大断面図。
【図６】同じく他の使用状態を示す拡大正面図。
【図７】（ａ）同じく他の実施例の拡大正面図、（ｂ）同じくベルトを嵌める時の説明図。
【符号の説明】
【００３１】
１  矩形板
２  挿通孔
３  ベルト押え片
４  ベルト
５  ベルト掛止板
７  連結片
８  ピン
９  墨つぼ
１０  吊具
１１  間隙
１２  矩形枠
１５  ベルト用工具吊具
【図１】
0003108306.tif 000003
【図２】
0003108306.tif 000004
【図３】
0003108306.tif 000005
【図４】
0003108306.tif 000006
【図５】
0003108306.tif 000007
【図６】
0003108306.tif 000008
【図７】
0003108306.tif 000009